【手続補正書】
【提出日】平成22年9月16日(2010.9.16)
【手続補正１】
【補正対象書類名】明細書
【補正対象項目名】００７７
【補正方法】変更
【補正の内容】
【００７７】
本出願では、以下の態様が提供される。
１．  多層フィルム物品であって：第１のポリマータイプと第２のポリマータイプとの交互の高分子層を有する赤外光反射多層フィルムであって、交互の高分子層が協働して赤外光を反射する赤外光反射多層フィルムと；硬化高分子結合剤中に分散された複数の金属酸化物ナノ粒子を含む赤外光吸収ナノ粒子層であって、前記赤外光反射多層フィルムに隣接している赤外光吸収ナノ粒子層と；前記赤外光反射多層フィルムに隣接して配置された耐引裂き性高分子フィルムと、を含む、多層フィルム物品。
２．  前記金属酸化物ナノ粒子は、硬化ポリアクリレート結合剤中に分散された、酸化アンチモンスズ、ドープされた酸化アンチモンスズ、インジウムドープされた酸化スズ、又はアンチモンドープされた酸化インジウムスズを含む、態様１に記載の多層フィルム物品。
３．  前記多層フィルム物品は、１ｇ／ｍ２・日以上の湿気透過速度値を有する、態様１に記載の多層フィルム物品。
４．  前記赤外光吸収ナノ粒子層は、１〜２０マイクロメートルの範囲の厚さを有する、態様１に記載の多層フィルム物品。
５．  前記多層フィルム物品は、４０％以上の可視光透過率値と、少なくとも０．６８の遮蔽係数値とを有する、態様１に記載の多層フィルム物品。
６．  前記耐引裂き性フィルム上に配置された感圧性接着剤層を更に含んでおり、前記耐引裂き性多層フィルムは、前記感圧性接着剤層と前記赤外光反射多層フィルムとの間に配置される、態様１に記載の多層フィルム物品。
７．  前記感圧性接着剤層上に配置された水溶性オーバーコート層を更に含む、態様６に記載の多層フィルム物品。
８．  前記オーバーコート層上に配置された剥離ライナーを更に含む、態様７に記載の多層フィルム物品。
９．  前記耐引裂き性フィルムは、剛性ポリマーと延性ポリマーとの交互の層を含む多層フィルムである、態様１に記載の多層フィルム物品。
１０．  前記多層耐引裂き性フィルムは、前記多層耐引裂き性フィルムの少なくとも１方向で、少なくとも２０％のグレーブス（Graves）破断点伸びと、少なくとも１．２１ＧＰａ（１７５ｋｐｓｉ）の引張係数とを有する、態様９に記載の多層フィルム物品。
１１．  前記耐引裂き性フィルムは、少なくとも２つの多層耐引裂き性フィルム層を含む、態様１に記載の多層フィルム物品。
１２．  赤外光源から発せられた赤外光を遮断する飛散防止光制御物品であって：第１のポリマータイプと第２のポリマータイプとの交互の高分子層を有する赤外光反射多層フィルムであって、前記交互の高分子層が協働して赤外光を反射する赤外光反射多層フィルムと；硬化高分子結合剤中に分散された複数の金属酸化物ナノ粒子を含む赤外光吸収ナノ粒子層であって、前記赤外光反射多層フィルムに隣接している前記赤外光吸収ナノ粒子層と；前記赤外光反射多層フィルムに隣接して配置されたガラス基材と；前記赤外光反射多層フィルムと前記ガラス基材との間に配置された耐引裂き性高分子フィルムと、を含む、飛散防止光制御物品。
１３．  前記赤外光吸収ナノ粒子層は、１〜２０マイクロメートルの範囲の厚さを有する、態様１２に記載の飛散防止光制御物品。
１４．  ４０％以上の可視光透過率値と、少なくとも０．６８の遮蔽係数値とを有する、態様１２に記載の飛散防止光制御物品。
１５．  前記耐引裂き性フィルムと前記ガラス基材との間に配置された感圧性接着剤層を更に含む、態様１２に記載の飛散防止光制御物品。
１６．  耐引裂き性多層フィルム物品であって：第１のポリマータイプと第２のポリマータイプとの交互の高分子層を有する赤外光反射多層フィルムであって、前記交互の高分子層が協働して赤外光を反射する赤外光反射多層フィルムと；硬化高分子結合剤中に分散された複数の金属酸化物ナノ粒子を含む赤外光吸収ナノ粒子層であって、前記赤外光反射多層フィルムに隣接している赤外光吸収ナノ粒子層と；前記赤外光反射多層フィルムに隣接して配置された耐引裂き性高分子フィルムと；を含んでおり、前記耐引裂き性多層フィルム物品は、少なくとも４０％の平均可視光透過率と、９５０ｎｍ〜２５００ｎｍの間のほぼすべての波長について２０％以下の赤外光透過率とを有する、耐引裂き性多層フィルム物品。
１７．  少なくとも０．６８の遮蔽係数値を有する、態様１６に記載の耐引裂き性多層フィルム物品。
１８．  １ｇ／ｍ２・日以上の湿気透過速度を有する、態様１７に記載の耐引裂き性多層フィルム物品。
１９．  前記耐引裂き性フィルムは、前記耐引裂き性フィルムの少なくとも１方向で、少なくとも２０％のグレーブス（Graves）破断点伸びと、少なくとも１．２１ＧＰａ（１７５ｋｐｓｉ）の引張係数とを有する、態様１７に記載の耐引裂き性多層フィルム物品。
２０．  前記耐引裂き性フィルムは、少なくとも２つの耐引裂き性多層フィルム層を含む、態様１７に記載の耐引裂き性多層フィルム物品。
本発明は、上に記載した特定の実施例に限られるとみなされるべきではなく、添付の特許請求の範囲で明確に提示されているとおり、本発明のあらゆる態様を網羅していると理解されるべきである。様々な修正、同等の方法、及び、本発明を適用可能である多くの構造は、本発明が対象とする技術分野の当業者が本発明の明細書を検討することにより、容易に明らかになるであろう。
【手続補正２】
【補正対象書類名】特許請求の範囲
【補正対象項目名】全文
【補正方法】変更
【補正の内容】
【特許請求の範囲】
【請求項１】
多層フィルム物品であって：
第１のポリマータイプと第２のポリマータイプとの交互の高分子層を有する赤外光反射多層フィルムであって、交互の高分子層が協働して赤外光を反射する赤外光反射多層フィルムと；
硬化高分子結合剤中に分散された複数の金属酸化物ナノ粒子を含む赤外光吸収ナノ粒子層であって、前記赤外光反射多層フィルムに隣接している赤外光吸収ナノ粒子層と；
前記赤外光反射多層フィルムに隣接して配置された耐引裂き性高分子フィルムと、を含む、多層フィルム物品。
【請求項２】
赤外光源から発せられた赤外光を遮断する飛散防止光制御物品であって：
第１のポリマータイプと第２のポリマータイプとの交互の高分子層を有する赤外光反射多層フィルムであって、前記交互の高分子層が協働して赤外光を反射する赤外光反射多層フィルムと；
硬化高分子結合剤中に分散された複数の金属酸化物ナノ粒子を含む赤外光吸収ナノ粒子層であって、前記赤外光反射多層フィルムに隣接している前記赤外光吸収ナノ粒子層と；
前記赤外光反射多層フィルムに隣接して配置されたガラス基材と；
前記赤外光反射多層フィルムと前記ガラス基材との間に配置された耐引裂き性高分子フィルムと、を含む、飛散防止光制御物品。
【請求項３】
耐引裂き性多層フィルム物品であって：
第１のポリマータイプと第２のポリマータイプとの交互の高分子層を有する赤外光反射多層フィルムであって、前記交互の高分子層が協働して赤外光を反射する赤外光反射多層フィルムと；
硬化高分子結合剤中に分散された複数の金属酸化物ナノ粒子を含む赤外光吸収ナノ粒子層であって、前記赤外光反射多層フィルムに隣接している赤外光吸収ナノ粒子層と；
前記赤外光反射多層フィルムに隣接して配置された耐引裂き性高分子フィルムと；を含んでおり、
前記耐引裂き性多層フィルム物品は、少なくとも４０％の平均可視光透過率と、９５０ｎｍ〜２５００ｎｍの間のほぼすべての波長について２０％以下の赤外光透過率とを有する、耐引裂き性多層フィルム物品。